(57)【要約】【課題】上側殻部材と下側殻部材とで一体の中空殻体を簡単に接続構成するもの。【解決手段】上側殻部材と下側殻部材とを接続してなる構造本体部材の接続端面に、該上側殻部材と下側殻部材体の両面に亘って嵌合係止される接合部材を設けたことを特徴とする構造本体部材への接合部材の係止構造。【選択図】図１
2012053424.tif 000002
【特許請求の範囲】
【請求項１】
上側殻部材と下側殻部材とを接続してなる構造本体部材の接続端面に、該上側殻部材と下側殻部材に設けた鍔片を挟持して該両部材の両面に亘って嵌合係止される接合部材を設けたことを特徴とする構造本体部材への接合部材の係止構造。
【請求項２】
構造本体部材の接続端面に嵌合係止される接合部材の嵌合係止部に一対の弾性係合爪片を左右対称位置に設けたことを特徴とする請求項１に記載の構造本体部材への接合部材の係止構造。
【請求項３】
接合部材の外側部に両端が開口された筒体部を設け、構造本体部材の接続端面に嵌合係止した時に筒体部両端の開口部が構造本体部で閉塞される構造にしたことを特徴とする請求項１、２に記載の構造本体部材への接合部材の係止構造。
【発明の詳細な説明】
【技術分野】
【０００１】  本発明は上側殻部材と下側殻部材とを接続してなる構造本体部材の接続端面に、該上側殻部材と下側殻部材の両面に亘って嵌合係止される接合部材を設けた構造本体部材への接合部材の係止構造に関するものである。
【背景技術】
【０００２】  従来は、構造本体部材への接合部材の係止構造は、例えば、特許文献１、２に見られるように一体的な構造本体部１の端面にマグネット２を内装する収容筒３を取り付け固定するようにしている。
【先行技術文献】
【特許文献】
【０００３】
【特許文献１】特許第３８２２０６２号公報
【特許文献２】特開２００３−１９０６６３号公報
【発明の概要】
【発明が解決しようとする課題】
【０００４】  上記の特許文献１、２に例示されるものは、構造本体部１の端面に収容筒３を取付けるのに、収容筒３を覆うように粘着テープなどでその都度取り付けるようにしていたので組み立てが面倒であった。
【課題を解決するための手段】
【０００５】  本発明は上記の課題を解決するもので、まず第一に上側殻部材と下側殻部材とを接続してなる構造本体部材の接続端面に、該上側殻部材と下側殻部材に設けた鍔片を挟持して該両部材の両面に亘って嵌合係止される接合部材を設けたことを特徴とする構造本体部材への接合部材の係止構造にしたものである。
第二に、構造本体部材の接続端面に嵌合係止される接合部材の嵌合係止部に一対の弾性係合爪片を左右対称位置に設けたことを特徴とする構造にしたものである。
第三に、該接合部材の外側部に両端が開口された筒体部を設け、構造本体部材の接続端面に嵌合係止した時に筒体部両端の開口部が構造本体部で閉塞される構造にしたものである。
【発明の効果】
【０００６】  上記構成により、第一に、上側殻部材と下側殻部材とを接続してなる構造本体部材の接続端面に、該上側殻部材と下側殻部材に設けた鍔片を挟持して該両部材の両面に亘って嵌合係止される接合部材を設けたことにより、組み立てが要領よく簡単にできて、且つ接合部材を組み付けた後の構造が頑丈にできる利点がある。
また、第二に一対の弾性爪片の構成で嵌入組み立てが容易であり、組み立て後の一体構造も不測な分解の恐れもなく安定的に図れる利点がある。また、弾性爪片を左右対称位置に設けたことにより組み立ての方向規制がなくて組み立てが効率化できる。
さらに、第三に、組み立て後には筒体部両端の開口が閉塞されるので、例えば筒体部に円柱形の棒状マグネットを内装して組み立てた場合には、マグネットの内装支持が確実にできる利点がある。
【図面の簡単な説明】
【０００７】
【図１】本発明に係る構造本体部材に接合部材を組み付けた平面図である。
【図２】本発明の上側殻部材の内側を示す平面図である。
【図３】本発明の上側殻部材の内側を示す斜視図である。
【図４】本発明の下側殻部材の内側を示す平面図である。
【図５】本発明の下側殻部材の内側を示す斜視図である。
【図６】本発明の接合部材を示す斜視図である。
【図７】本発明の接合部材を示す側面図である。
【図８】本発明の接合部材を示す正面図である。
【図９】本発明の構造本体部材に接合部材を組み付けた斜視図であろ。
【図１０】本発明の構造本体部材に接合部材を組み付けた平断面図である。
【図１１】本発明の構造本体部材に接合部材を組み付けた側断面図である。
【図１２】本発明の円柱形の棒状マグネットの斜視図である。
【図１３】本発明に係る接合部材の変形例を示す斜視図である。
【図１４】本発明に係る接合部材の変形例を示す側面図である。
【発明を実施するための形態】
【０００８】  本発明の実施形態を図面に基づいて説明する。図１は、本発明に係る構造本体部材に接合部材を組み付けた平面図であり、符号Ａは正三角形状に形成された上側殻部材１と下側殻部材２とを接続してなる構造本体部材であり、該構造本体部材Ａの接続端面Ｘに、該上側殻部材１と下側殻部材２の両面に亘って嵌合係止される横長辺状の接合部材３を設けたものである。そして、これらの上側殻部材１と、下側殻部材２と、接合部材３は、合成樹脂製であり金型を用いて射出成形されるものである。
【０００９】  図２、図３は本発明の上側殻部材の内側を示すものであり、上側殻部材１は正三角形状に蟹甲羅状の殻体に形成され、各片の中間に凹陥部１Ａを切り欠き状に形成し、該凹陥部１Ａの奥部に嵌入許容部１Ｂを構成し、嵌入許容部１Ｂの両側に固定状の係止爪１Ｃ、１Ｃと鍔片１Ｄ、１Ｄを設けてあり、これら係止爪１Ｃ、１Ｃと鍔片１Ｄ、１Ｄは嵌入許容部１Ｂの中央に対して左右対称に設けてあるものである。そして、上側殻部材１の三角片の各頂点部に輪状の接合用的部１Ｅと係止用突部１Ｆを設け、上側殻部材１の三角片外周に沿って縁部１Ｇを設けたものである。
図４、図５は本発明の下側殻部材の内側を示すものであり、下側殻部材２は三角形状に蟹甲羅状の殻体に形成され、各片の中間に凹陥部２Ａを切り欠き状に形成し、該凹陥部２Ａの奥部に嵌入許容部２Ｂを構成し、嵌入許容部２Ｂの両側に固定状の係止爪２Ｃ、２Ｃと鍔片２Ｄ、２Ｄを設けてあり、これら係止爪２Ｃ、２Ｃと鍔片２Ｄ、２Ｄは嵌入許容部２Ｂの中央に対して左右対称に設けてあるものである。そして、下側殻部材２の三角片の各頂点部に輪状の接合用的部２Ｅと係止用穴部２Ｆを設け、下側殻部材２の三角片外周に沿って縁部２Ｇを設けたものである。
【００１０】  図６〜図８は、本発明の接合部材を示すものであり、上側殻部材１と下側殻部材２の凹陥部１Ａ、２Ａに陥没可能な接合部材３の本体リブ部３Ａの内側部に上側殻部材１と下側殻部材２の嵌入許容部１Ｂ、２Ｂに嵌入される嵌入突部３Ｂと、該嵌入突部３Ｂの両側に、上側殻部材１と下側殻部材２の固定状の係止爪１Ｃ、１Ｃ、２Ｃ、２Ｃに係合する弾性爪片３Ｃ、３Ｃと、上側殻部材１と下側殻部材２の鍔片１Ｄ、１Ｄ、２Ｄ、２Ｄを摘むように圧着して挟持するスリット溝部３Ｄ、３Ｄが設けてあり、これら弾性爪片３Ｃ、３Ｃとスリット溝部３Ｄ、３Ｄは嵌入突部３Ｂの中央に対して左右対称に設けてあるものである。そして、本体リブ部３Ａの外側部に両端を開口して横方向の通し孔３Ｅを形成された薄肉状の収容筒部３Ｆが一体的に設けられている。この薄肉状の収容筒部３Ｆの肉厚は、本発明においては０．２ミリに構成されていて通し孔３Ｅに後述する円柱状の棒状マグネット部材４を内装したときに、収容筒部３Ｆの肉厚の影響で磁石の吸着力が弱まらないようにされている。
【００１１】  図９〜図１１は、本発明の構造本体部材Ａに接合部材３を組み付けた状態を示すものであり、上側殻部材１と下側殻部材２とを、お互いの正三角形が一致するように重ねると上側殻部材１の三角片の各頂点部に形成された輪状の接合用的部１Ｅと係止用突部１Ｆと、下側殻部材２の三角片の各頂点部に形成された輪状の接合用的部２Ｅと係止用穴部２Ｆとが合致する状態となり、これを更に上側殻部材１と下側殻部材２とが接近するように圧すると、接合的部１Ｅ、２Ｅが合致した状態で係止用突部１が係止用穴部２Ｆに圧入されて、且つ上側殻部材１と下側殻部材２の外周縁部１Ｇ、２Ｇが接当した状態となって該上側殻部材１と下側殻部材２の両者は圧着接合される。これにより、上側殻部材１と下側殻部材２とが隙間のない状態で一体的に接合されて中空殻体となる構造本体部材Ａが構成される。
なお、中空殻体となる構造本体部材Ａの中央位置の中空部分が内側に凹んで撓むような感じのある時には上側殻部材１と下側殻部材２のいずれか一方の内側若しくは両方部材の内側に、適宜に円形状のリブや直線上の骨格リブなどを一体的に形成するようにして、上側殻部材１と下側殻部材２を組み合わせた時にこれらのリブで受け止め支持して中空殻体を張りのある状態で頑丈に構成することができるものである。
【００１２】  そして、この構造本体部材Ａの凹陥部１Ａ、２Ａの端面Ｘに、接合部材３を嵌めるにあたって、鍔片１Ｄ、１Ｄ、２Ｄ、２Ｄがスリット溝部３Ｄ、３Ｄで摘むように圧着された状態に挟持されて、上側殻部材１と下側殻部材２との離脱方向への広がりを防止して両部材１、２の一体化を促進し、さらに押し込むと弾性爪片３Ｃ、３Ｃが内側に撓みながら固定爪片部１Ｃ、１Ｃ、２Ｃ、２Ｃを通過すると外側に押し戻されて、これにより弾性爪片３Ｃ、３Ｃが固定爪片１Ｃ、１Ｃ、２Ｃ、２Ｃに係合して、接合部材３が構造本体部材Ａに一体的に接続構成される。
このときに、構造本体部材Ａの凹陥部１Ａ、２Ａに構成される嵌入許容部１Ｂ、２Ｂの両側に固定状の係止爪１Ｃ、１Ｃ、２Ｃ、２Ｃと鍔片１Ｄ、１Ｄ、２Ｄ、２Ｄを設けてあり、これら係止爪１Ｃ、１Ｃ、２Ｃ、２Ｃと鍔片１Ｄ、１Ｄ、２Ｄ、２Ｄは嵌入許容部１Ｂ、２Ｂの中央に対して左右対称に設けてあり、構造本体部材Ａの嵌入許容部１Ｂ、２Ｂに嵌入される接合部材３の弾性爪片３Ｃ、３Ｃとスリット溝部３Ｄ、３Ｄは嵌入突部３Ｂの中央に対して左右対称に設けてあるので、接合部材３の組み込みは上下左右にひっくり返しても嵌合状態は常に一定である利点があり、組み立て時に方向性や組み付け姿勢を確認する恐れがない。
このようにして、組み立てが要領よく簡単にできて、且つ接合部材を組み付けた後の構造が頑丈にできるものであり、一対の弾性爪片の構成で嵌入組み立てが容易であり、組み立て後の一体構造も不測な分解の恐れもなく安定的に図れる利点がある。
【００１３】  また、接合部材３を組み込む前に、例えば、接合部材３の収納筒部３Ｆの通し孔３Ｅに円柱状の棒状マグネット部材４を軸方向回りに回転可能に挿入位置させる時には、接合部材３の収納筒部３Ｆの通し孔３Ｅに円柱状の棒状マグネット部材４を挿入位置させた状態で、構造本体部材Ａに接続する。これにより棒状マグネット部材４の組み付けが容易にできる。
このときに、接合部材３の外側部に両端が開口された筒体部（収納筒部３Ｆの通し孔３Ｅ）を設けた構成であるが、構造本体部材Ａの接続端面Ｘに接合部材３を嵌合係止した時には収納筒部３Ｆ両端の通し孔３Ｅの開口部が構造本体部の凹陥部１Ａ、２Ａ両側の壁に近接されて閉塞される構造にされているものである。したがって、接合部材３の組み付け後には収納筒部３Ｆ両端の通し孔３Ｅの開口が閉塞されるので、例えば収納筒部３Ｆに円柱形の棒状マグネット４を内装して組み付けた場合には、マグネット４の抜け出しを阻止して内装支持が確実にできる利点がある。
【００１４】  そして、これらの上側殻部材１と下側殻部材２並びに接合部材３は、各々が樹脂製で金型成型されて量産化が可能であり、各々の部品を作成した後で、組み立て時の段階で磁力体である棒状マグネット部材４を挿入して組み立てるので、磁力の弊害が金型に及ぶことがない利点を有するものである。
図１３、図１４は、接合部材３の変形例３−１を示すもので、上側殻部材１と下側殻部材２の凹陥部１Ａ、２Ａに陥没可能な接合部材３−１の本体リブ部３Ａ−１の内側部に上側殻部材１と下側殻部材２の嵌入許容部１Ｂ、２Ｂに嵌入される嵌入突部３Ｂ−１と、該嵌入突部３Ｂ−１の上側に、上側殻部材１と下側殻部材２の固定状の係止爪に係合する弾性爪片３Ｃ−１、３Ｃ−１と、該弾性爪片３Ｃ−１、３Ｃ−１を長手方向の上下に位置して弾性を持つように中間にすり割り溝３Ｃ−２を設けてある。そして、上側殻部材１と下側殻部材２の鍔片１Ｄ、１Ｄ、２Ｄ、２Ｄを摘むように圧着して挟持するスリット溝部３Ｄ−１、３Ｄ−１が設けられている。そして、本体リブ部３Ａ−１の外側部に両端を開口して横方向の通し孔３Ｅ−１を形成された薄肉状の収容筒部３Ｆ−１が一体的に設けられている。
もちろんこの形状の弾性爪片３Ｃ−１、３Ｃ−１に応じて上側殻部材１と下側殻部材２の嵌入許容部１Ｂ、２Ｂの固定状の係止爪は変形構成されるものである。
【実施例】
【００１５】  本発明の上側殻部材１と下側殻部材２とは、一辺の長さが５センチに設定された正三角形状の三辺構成のもので製作されているが、これを一辺の長さが５センチに設定された正四角形、正五角形、正六角形、正八角形などの多辺形状に応用できるものであり、これら正多角形の各辺に構成される凹陥部１Ａ、２Ａの構成は辺方向長さが２センチ程度にして同一に構成できるものであり、したがって、これら正多角形の各辺への接合部材３の取り付けは辺方向長さが２センチ程度にした同一構成のものが利用できるので、部品製造、部品管理が容易であり、同一規格と対称構成の採用により接合部材３の組み立てが効率的に遂行できる利点があるものであり、量産化コストの低減に寄与できる。
また、正三角形、正四角形、正五角形、正六角形、正八角形などの多角辺形状のものについて、一辺の長さが５センチに設定されたものを説明しているが、これを１０センチに設定しても良く、その場合には正多角形の各辺に構成される凹陥部の構成、この凹陥部に接合される接合部材の大きさは多角辺形状の辺長さに応じて順次変化されるものである。
【産業上の利用可能性】
【００１６】  本発明の接続構成は、各種樹脂成形体の殻体接続構成に利用できるものであり、接続部材の収納筒部に磁力体を挿入位置させたときには磁力接続できる教育用の教材や知育部材として利用でき、産業用としては扉の接続、工事現場の仕切り壁の接続として利用でき、スポーツ用としては卓球競技用のフェンス柵部材の接続など各種に利用可能である。また収納筒部に衝撃音を発するような部材を入れた時にはマラカスなどのような音楽用の打撃音発生楽器などとして楽しむこともできるものである。
【符号の説明】
【００１７】Ａ  構造本体部材
１  上側殻部材
２  下側殻部材
３  接合部材
４  棒状マグネット部材
【図１】
2012053424.tif 000003
【図２】
2012053424.tif 000004
【図３】
2012053424.tif 000005
【図４】
2012053424.tif 000006
【図５】
2012053424.tif 000007
【図６】
2012053424.tif 000008
【図７】
2012053424.tif 000009
【図８】
2012053424.tif 000010
【図９】
2012053424.tif 000011
【図１０】
2012053424.tif 000012
【図１１】
2012053424.tif 000013
【図１２】
2012053424.tif 000014
【図１３】
2012053424.tif 000015
【図１４】
2012053424.tif 000016